【手続補正書】
【提出日】平成16年4月16日(2004.4.16)
【手続補正１】
【補正対象書類名】特許請求の範囲
【補正対象項目名】全文
【補正方法】変更
【補正の内容】
【特許請求の範囲】
【請求項１】
次の一般式（１）を有する第１の繰返し単位を含有する線状ポリマーを製造する方法であって、
【化１】
2004532348.tif 000001
この第１繰返し単位は、置換され又は置換されない。この式において、ｘは０又は１であり、各Ａｒは同じか異なり、独立して置換され又は置換されないアリール又はヘテロアリール基であり、並びに、Ｒ及びＲ'はそれぞれ水素又は置換基であり、第２繰り返し単位は第１繰返し単位とは同じか異なり、置換され又は置換されないアリール又はヘテロアリール基であり、次の反応混合物を重合するステップを含む。
（ａ）それぞれ、第１繰返し単位を含有し、かつ２つの反応性ボロン誘導基を有する複数の第１モノマー、並びに、それぞれ、第２繰返し単位を有し、かつ少なくとも２つの反応性ハロゲン化物配位基を有する複数の第２モノマー、又は
（ｂ）それぞれ、第１繰返し単位を含有し、１つの反応性ハロゲン化物配位基及び１つの反応性ボロン誘導基及び複数の第２モノマーを含有する複数の第１モノマー、並びに、それぞれ、第２繰返し単位を有し、かつ１つの反応性ハロゲン化物配位基及び反応性ボロン誘導基を有する複数の第２モノマー、
ここで、反応混合物は、塩基及びモノマーの重合の触媒に必要な量の触媒を含有する。
【請求項２】
第１の繰返し単位が第２の繰返し単位と同じであり、各第１モノマーが第２モノマーと同じであり、次の一般式（１０）を有し、前記反応混合物（ｂ）を使用する請求項１に記載の方法。
【化２】
2004532348.tif 000002
この式において、Ｅは、ボロン酸基、ボロンエステル基及びボラン基からなる群から選択される反応性ボロン誘導基であり、Ｅ'は、反応性ハロゲン化物配位基であり、第１繰返し単位は請求項１で定義される。
【請求項３】
各第１モノマーが次の一般式（２）を有する前記反応混合物（ａ）を使用する請求項１に記載の線状ポリマーを製造する方法。
【化３】
2004532348.tif 000003
この式において、各Ｅは、ボロン酸基、ボロンエステル基及びボラン基からなる群から選択される反応性ボロン誘導基である。
【請求項４】
ポリマーが次の一般式（４）を有するポリマーを含むように、各第２モノマーが次の一般式（３）を有する請求項３に記載の方法。
【化４】
2004532348.tif 000004
【化５】
2004532348.tif 000005
この式において、各Ｅ'は、反応性ハロゲン化物配位基である。
【請求項５】
第１繰返し単位が第２繰返し単位と同じである請求項３又は４に記載の方法。
【請求項６】
第１繰返し単位が第２繰返し単位と異なる請求項３又は４に記載の方法。
【請求項７】
第１繰返し単位が次の一般式（５）を有する請求項１ないし６のいずれかに記載の方法。
【化６】
2004532348.tif 000006
この第１繰返し単位は置換され又は置換されない。この式において、ｘは０又は１であり、Ａｒは同じか異なり、独立して請求項１で定義されるＡｒと同じである。
【請求項８】
少なくとも１つのＡｒ基が置換され又は置換されないフェニル、ビフェニル又はフルオレンン基からなる請求項７に記載の方法。
【請求項９】
第１繰返し単位が次の一般式（６）を有する請求項８に記載の方法。
【化７】
2004532348.tif 000007
これは、さらに置換され又は置換されず、Ｘは水素又は置換基である。
【請求項１０】
繰返し単位が次の一般式（７）を有する請求項８に記載の方法。
【化８】
2004532348.tif 000008
これは、さらに置換され又は置換されず、この式において、Ｘ'及びＹは、それぞれ独立して水素又は置換基であり、Ａｒ'は、フェニル、ビフェニル又はフルオレン基である。
【請求項１１】
Ｘ'及びＹが同じか異なり、各Ｘ，Ｘ'及びＹは、アルキル、アルコキシ、カルボキシアルキル、ハロゲン化物、シアノ、アリール及びヘテロアリール基から独立して選択される請求項９又は１０に記載の方法。
【請求項１２】
第２繰返し単位が請求項７ないし１１のいずれかに記載される第１繰返し単位を定義する一般式を有する請求項１ないし１１のいずれかに記載の方法。
【請求項１３】
請求項１ないし１２のいずれかに記載される方法によって得られるポリマー。
【請求項１４】
ポリマーがホモポリマー又は規則的代替コポリマーである請求項１３に記載のポリマー。
【請求項１５】
請求項４に記載される方法によって得られる線状の規則的代替コポリマーにおいて、第１繰返し単位が請求項１又は７ないし１１のいずれかで定義され、及び第２繰返し単位が請求項１２で定義されるコポリマー。
【請求項１６】
次の一般式（８）を有する請求項１５に記載の線状の代替コポリマー。
【化９】
2004532348.tif 000009
これは、さらに置換され又は置換されず、ここでｎは少なくとも２であり、Ａｒ'、Ｘ，Ｘ'及びＹは請求項９ないし１１のいずれかで定義される。
【請求項１７】
次の一般式（９）を有する請求項１６に記載の線状の代替コポリマー。
【化１０】
2004532348.tif 000010
これは、さらに置換され、又は置換されず、ここでｎは少なくとも２であり、Ｘ，Ｘ'及びＹはＣ1-10アルキル基又はＣ1−Ｃ10アルコキシ基からなる群から独立して選択される。
【請求項１８】
平均分子量が１０，０００〜１０6の範囲にある請求項１５ないし１７のいずれかに記載
の線状代替コポリマー。
【請求項１９】
次の一般式（１１）又は（１２）を有する線状のポリマーを製造するのに適したモノマー。
【化１１】
2004532348.tif 000011
【化１２】
2004532348.tif 000012
ここで、Ｅ及びＥ'は、請求項２で定義され、Ａｒ及びｘは請求項１又は７ないし１１のいずれかで定義され、ただし、次のモノマーは除かれる。
【化１３】
2004532348.tif 000013
【請求項２０】
光学装置の構成要素として使用される請求項１３ないし１８のいずれかに記載のポリマー。
【請求項２１】
光学装置において光を生成するために、正電荷を輸送し及び／又は正電荷及び負電荷輸送体を受領し結合するために使用される請求項２０に記載のポリマー。
【請求項２２】
前記光学装置が電子冷光放射装置である請求項２０又は２１に記載のポリマー。
【請求項２３】
請求項１３ないし１８のいずれかで定義されるポリマーからなる薄膜。
【請求項２４】
請求項１３ないし１８のいずれかで定義されるポリマーからなる被覆層。
【請求項２５】
請求項１３ないし１８のいずれかで定義されるポリマーからなる混合物を含む組成物。
【請求項２６】
混合物が１又は２のさらなるポリマーを含む請求項２５に記載の組成物。
【請求項２７】
基板及び基板上に支持される請求項１３ないし１８のいずれかに記載のポリマーを含む光学装置又は構成要素。
【請求項２８】
光学装置が電子冷光放射装置からなる請求項２７に記載の光学装置。
【請求項２９】
冷光放射装置が次のものを含む請求項２８に記載の光学装置。
正電荷輸送体を注入するための第１電荷注入層、
負電荷輸送体を注入するための第２電荷注入層、
光を生成するために正電荷及び負電荷を受領し結合するための発光構成要素並びに選択的に発光構成要素に正電荷を輸送するための正電荷輸送構成要素を含む第１及び第２電荷注入層の間に位置する発光層であって、ここで、発光層は、発光要素及び／又は選択的な正電荷輸送構成要素として請求項１３ないし１８のいずれかで定義されるポリマーを含む。
【請求項３０】
ポリマーを製造するための一般式（１１）又は（１２）を有するモノマー。
【化１４】
2004532348.tif 000014
【化１５】
2004532348.tif 000015
この式において、Ｅ及びＥ'は、請求項２で定義され、Ａｒ及びｘは請求項１又は７ないし１１のいずれかで定義される。
【請求項３１】
光学装置におけるポリマーの製造のための一般式（１１）又は（１２）を有するモノマー。
【化１６】
2004532348.tif 000016
【化１７】
2004532348.tif 000017
この式において、Ｅ及びＥ'は請求項２で定義され、第１繰返し単位は光学装置におけるポリマーの製造のために１ないし７のいずれかで定義される。
【請求項３２】
前記ポリマーが光学装置の発光構成要素及び／又は正電荷輸送構成要素として提供される請求項３１に記載のポリマー。